(57)【要約】【課題】本発明は熱媒の熱を放熱する空気調和装置において、前後二枚設けたプレート１０，１１と熱交換器１２を設けた空気調和装置であり、強制対流による温風暖房と輻射暖房を実現する。【解決手段】熱媒が流れる二枚のプレートと、前側の固定プレート１０が室内側に面し、可動プレート１１を上下に動かす上下スライド部１３と、送風路１４に設けた熱交換器１２と、筐体下部１５に設けた吹出口１７と、送風手段１６と、ルーバー１８とから構成される。送風手段１６により吸込口２０から吸い込まれた空気が送風路１４の熱交換器１２を通過する際に熱媒から強制対流熱交換すると共に、室内側に面した固定プレート１０から輻射エネルギーを発生させ必要に応じて可動プレート１１をスライドさせさらに大きな輻射を発生することのできる快適温風輻射暖房を実現する。【選択図】　図１
2004101023.tif 000002
【特許請求の範囲】
【請求項１】
熱媒が流れる複数のプレートを重ねて設け、前記熱媒が前記プレートの通過後に通過する熱交換器と、空気の吸込口と吹出口と、送風手段とを備え、前記送風手段によって前記吸込口より吸込んだ空気を前記熱交換器を設けた送風路にて温め吹出口より吹出す構成とし、前記複数のプレートのうちの少なくとも１枚は固定プレートとし、他はスライドする可動プレートとし、可動プレートを駆動する駆動手段を設けた空気調和装置。
【請求項２】
可動プレートは分割可能な構成とし、各分割部分が独立に可動するようにした請求項１記載の空気調和装置。
【請求項３】
可動プレートの分割部分がそれぞれ上下に可動する請求項２記載の空気調和装置。
【請求項４】
可動プレートの分割部分がそれぞれ左右に可動する請求項２または３記載の空気調和装置。
【請求項５】
可動プレートの分割部分がそれぞれ斜めに可動する請求項２から４のいずれか１項記載の空気調和装置。
【請求項６】
可動プレートの分割部分がそれぞれ可動自在な請求項２から５のいずれか１項記載の空気調和装置。
【請求項７】
プレートはブロー成形等で作られる樹脂プレートからなる請求項１から６のいずれか１項記載の空気調和装置。
【請求項８】
固定プレートは分割した可動プレートを組み合わせて設けたことを特徴とする請求項２から７のいずれか１項記載の空気調和装置。
【発明の詳細な説明】
【０００１】
【発明の属する技術分野】
本発明は、熱媒を循環させて室内の空気調和を行う空気調和装置に関するものである。
【０００２】
【従来の技術】
従来のこの種の一般的な暖房装置は図１０（ａ）、（ｂ）に示すように、フィン１に熱伝導性の良好なパネル２を貼り付け、送風機３を設けた構成となっていた。高温の熱媒は熱媒管４に流入し、熱媒管４を加熱し、フィン１に伝わってフィン１周りの空気を加熱する。送風手段３によって空気が吸入され、強制対流によって温風が室内に吹出すとともに、パネル２から輻射エネルギーが放射する構成となっていた（例えば、特許文献１参照。）。
【０００３】
【特許文献１】
特開昭６３−２３８３３９号公報
【０００４】
【発明が解決しようとする課題】
しかしながら上記従来の空気調和装置では、フィン１に熱伝導性の良いパネル２を貼り付けただけの構成であるため、熱媒の熱をパネル２へ効率よく伝導することができずパネル２の温度は上昇しにくく、パネル２表面から十分な輻射エネルギーが放射できないという課題があった。さらに、輻射量を制御する工夫と、パネル２表面に輻射率を向上させる工夫がない。すなわち輻射量を十分確保するには、パネル２を大きくする必要があり、装置が大型化、重量増加するという課題があった。
【０００５】
本発明は上記課題を解決するため、室内側に輻射を発生させる面積を可変するプレートを有し、熱交換器と送風手段で温風暖房を行う、小型・軽量で輻射と温風を発生する空気調和装置の提供を目的とする。
【０００６】
【課題を解決するための手段】
前記従来の課題を解決するために、本発明の空気調和装置は、ボイラー等から送られた高温の熱媒が流れる複数のプレートを重ねて設け、前記熱媒が前記プレートの通過後に通過する熱交換器と、空気の吸込口と吹出口と、送風手段とを備え、前記送風手段によって前記吸込口より吸込んだ空気を前記熱交換器を設けた送風路にて温め吹出口より吹出す構成とし、前記複数のプレートのうちの少なくとも１枚は固定プレートとし、他はスライドする可動プレートとし、可動プレートを駆動する駆動手段を設けた。
【０００７】
本発明によれば、室内空気は熱交換器を強制的に流れる間に熱交換され、室内側に面したプレート面からは室内側に輻射エネルギーを発生し、遠赤外線等を放射する。送風手段によって強制循環流を発生することができるため、放熱能力を任意制御することができる。可動プレートをスライドさせ、輻射面積を広げたり、狭めたり可変調節できることから輻射量がさらに必要な場合は可動プレートをスライドさせ、輻射性能を上げることができ、小型軽量で大能力輻射を実現できる使い勝手の良い空気調和装置を実現できる。
【０００８】
【発明の実施の形態】
本発明の請求項１における空気調和装置は、熱媒が流れる複数のプレートを重ねて設け、前記熱媒が前記プレートの通過後に通過する熱交換器と、空気の吸込口と吹出口と、送風手段とを備え、前記送風手段によって前記吸込口より吸込んだ空気を前記熱交換器を設けた送風路にて温め吹出口より吹出す構成とし、前記複数のプレートのうちの少なくとも１枚は固定プレートとし、他はスライドする可動プレートとし、可動プレートを駆動する駆動手段を設けた。
【０００９】
よって、室内空気は熱交換器を強制的に流れる間に熱交換され、室内側に面したプレート面からは室内側に輻射エネルギーを発生し、遠赤外線等を放射する。送風手段によって強制循環流を発生することができるため、放熱能力を任意制御することができる。可動プレートをスライドさせ、輻射面積を広げたり、狭めたり可変調節できることから輻射量がさらに必要な場合は可動プレートをスライドさせ、輻射性能を上げることができ、小型軽量で大能力輻射を実現できる使い勝手の良い空気調和装置を実現できる。
【００１０】
本発明の請求項２による空気調和装置は、可動プレートは分割可能な構成とし、各分割部分が独立に可動するようにした。
【００１１】
よって、可動プレートがそれぞれ独立に可動するよう分割したので、各分割部分をスライドさせて必要に応じて広げたり、障害物を避けたり、輻射面積を調整することが容易にできる。
【００１２】
本発明の請求項３による空気調和装置は、可動プレートの分割部分がそれぞれ上下に可動する。よって、各分割部分が上下に可動するので、輻射面積を必要に応じて上下に調節することができる。
【００１３】
本発明の請求項４による空気調和装置は、可動プレートの分割部分がそれぞれ左右に可動する。よって、各分割部分が左右に可動するので、輻射面積を必要に応じて左右に調節することができる。
【００１４】
本発明の請求項５による空気調和装置は、可動プレートの分割部分がそれぞれ斜めに可動する。よって、各分割部分が斜めに可動するので、輻射面積を必要に応じて斜めに調節することができる。
【００１５】
本発明の請求項６による空気調和装置は、可動プレートの分割部分がそれぞれ可動自在な構成となる。よって、輻射面積の調節をより自在に行うことができる。
【００１６】
本発明の請求項７による空気調和装置は、プレートがブロー成形等で作られる樹脂プレートからなる。よって、軽量で輻射を発生するプレートを実現できる。
【００１７】
本発明の請求項８による空気調和装置は、固定プレートは分割した可動プレートを組み合わせて設けたことを特徴とする。よって、同一モジュールのプレートを使用することができプレート管理の容易性と、低コスト化を実現できる。
【００１８】
【実施例】
以下、本発明の実施例について図面を用いて説明する。
【００１９】
（実施例１）
図１は本発明実施例１の空気調和装置の側部断面図であり、図２（ａ）と（ｂ）はプレートである。また、図３と図４は可動プレートを上方向へスライドした時の側部断面図と正面図である。
【００２０】
図１から図４において、ボイラー等から送られた温水等の高温の熱媒は固定プレート１０から流入し可動プレート１１へ送られ、熱交換器１２を通ってボイラー等に戻される。固定プレート１０は固定され室内側に面しており、固定プレート１０の背面側に可動プレート１１が配置され、可動プレート１１のみ駆動手段である上下スライドレール１３により上下する。一方、熱交換器１２が送風路１４に設けられ、筐体下部１５Ａには送風手段１６と、吹出口１７と吹出方向を変えるルーバー１８と可動手段であるモーター１９が設置されている。また筐体後部１５Ｂには吸込口２０が設けられている。そして送風手段１６によって室内空気は熱交換器１２と強制対流熱交換し、吹出口１７から温風を吹き出す構成となっている。
【００２１】
以上のように構成した空気調和装置において、約８０℃の熱媒は固定プレート１０の入り口２１から流入し流路２２を通過した後出口２３から可動プレート１１に流入する。この際に、熱媒の熱で固定プレート１０の表面２４は加熱され室内側に遠赤外線の輻射を発生する。さらに、送風手段１６により吸込口２０から送風路１４に入った室内空気は熱交換器１２により加熱され温風とし吹出口１７から吹き出すとともに、ルーバー１８とルーバー１８を動かすモーター１９により風向を制御できる。
【００２２】
このとき、プレート１０から室内側に遠赤外線輻射が発生すると共に、温風により室内のベース温度を急速に立ち上げることができる。また、送風手段１６の送風量を制御し放熱能力を任意制御することで室内負荷に応じた快適な暖房が可能となる。さらに、吹出口１７から吹き出す温風が下から吹き出すため、温度ムラの少ない暖房空間を実現できる。また、輻射量をさらに発生したいときには可動プレート１１を上下スライドレール１３に沿って上方向に引き出すことで輻射発生面積を増やすことができ、輻射量も増加させることも可能である。ここで、プレートをブロー等で成型する樹脂プレート１０、１１とすることで軽量な空気調和装置を実現できる。
【００２３】
（実施例２）
図５は本発明実施例２における空気調和装置の正面図である。図５において、実施例１の構成と異なるところは、可動プレート１１を左右に二分割し、それぞれ独立して上下にスライドする構成とした点である。
【００２４】
以上のように構成した空気調和装置において、以下その動作、作用を説明する。固定プレート１０の出口２３を出た熱媒が可動プレート１１へ流入し、可動プレート１１の表面２４を加熱する。輻射量を多く発生したいときに可動プレート１１を上へ引き出すが、上部に棚や出っ張りが存在しても左右独立して引き出すことができるため片方だけでも引き出すことができ。したがって、輻射量を増やす際に可能な限りの寸法まで引き出すことができ、設置スペースと快適輻射の両立が可能となる。
【００２５】
（実施例３）
図６は本発明実施例３における空気調和装置の正面図である。図６において、実施例１の構成と異なるとこは、前面の固定プレート１０が左右に二分割した可動プレート１１を組み合わせて構成され、それぞれに対応した駆動手段をもたずに固定であり、可動プレート１１の左右独立した分割部分は駆動手段により上下にスライドするもので、各プレートは鉛直方向の中心近傍２５で上下対称に構成してある。
【００２６】
以上のように構成した空気調和装置において、以下その動作、作用を説明する。各プレートが上下対称になることから固定プレート１０の左右と、可動プレート１１の左右のプレートが同一モジュールで構成できるため一種類のプレートを作ることですべてのプレートを兼用できる。
【００２７】
また、固定プレート１０の出口２３を出た熱媒が可動プレート１１へ流入し、可動プレート１１の表面２４を加熱する。輻射量を多く発生したいときに可動プレート１１を上へ引き出すが、上部に棚や出っ張りが存在しても左右独立して引き出すことができるため片方だけでも引き出すことができ。したがって、輻射量を増やす際に可能な限りの寸法まで引き出すことができ、設置スペースと快適輻射の両立が可能となる。
【００２８】
（実施例４）
図７は本発明実施例４の空気調和装置の正面図である。図７において、実施例１の構成と異なるとこは、固定プレート１０と可動プレート１１をそれぞれ左右に二分割し、可動プレート１１が左右独立して左右にスライドする左右スライド部である左右スライドレール２６を設けた点である。
【００２９】
以上のように構成した空気調和装置において、以下その動作、作用を説明する。固定プレート１０の出口２３を出た熱媒が可動プレート１１へ流入し、可動プレート１１の表面２４を加熱する。輻射量を多く発生したいときに、左右スライドレールに沿って可動プレート１１を左右に引き出すが、横壁や棚等が存在しても左右独立して引き出すことができるため片方だけでも引き出すことができ。したがって、輻射量を増やす際に可能な限りの寸法まで引き出すことができ、設置スペースと快適輻射の両立が可能となる。
【００３０】
（実施例５）
図８は本発明実施例５の空気調和装置の正面図である。図８において、実施例１の構成と異なる点は、固定プレート１０と可動プレート１１をそれぞれ左右に二分割し、可動プレート１１が左右独立して斜め上方向にスライドする斜めスライド部である斜めスライドレール２７を設けた点である。
【００３１】
以上のように構成した空気調和装置において、以下その動作、作用を説明する。固定プレート１０の出口２３を出た熱媒が可動プレート１１へ流入し、可動プレート１１の表面２４を加熱する。輻射量を多く発生したいときに斜めスライドレール２７に沿って可動プレート１１を斜め上方向に引き出すが、段差や植木等が存在しても左右独立して引き出すことができるため片方だけでも引き出すことができ。したがって、輻射量を増やす際に可能な限りの寸法まで引き出すことができ、設置スペースと快適輻射の両立が可能となる。
【００３２】
（実施例６）
図９は本発明実施例６における空気調和装置の正面図である。図９において、実施例１の構成と異なる点は、固定プレート１０と可動プレート１１をそれぞれ左右に二分割し、可動プレート１１が左右独立して上下左右にスライドする上下スライド部である上下スライドレール１３と、左右スライド部である左右スライドレール２６を設けた点である。
【００３３】
以上のように構成した空気調和装置において、以下その動作、作用を説明する。固定プレート１０の出口２３を出た熱媒が可動プレート１１へ流入し、可動プレート１１の表面２４を加熱する。輻射量を多く発生したいときに上下スライドレール１３と、左右スライドレール２６を使用して可動プレート１１を引き出すが、横壁や棚、段差や植木等が存在しても左右独立して回動自在に引き出すことができるため任意の方向に引き出すことができる。したがって、輻射量を増やす際に可能な限りの寸法まで引き出すことができ、設置スペースと快適輻射の両立が可能となる。
【００３４】
【発明の効果】
以上の説明から明らかなように本発明の空気調和装置によれば次のような効果が得られる。固定プレート面から効率よく輻射エネルギーを発生させ室内に遠赤外線等を輻射するとともに、送風路に設けた熱交換器を送風手段により室内空気が通過し熱媒と熱交換し温風とし、送風機によって吹出口より吹出すので、快適な室内温熱環境を実現できる。さらに、可動プレートを上下にスライドすることで輻射発生面積を必要に応じて拡大することが可能であり、小さな空気調和装置で大きな輻射能力を発揮できる。
【図面の簡単な説明】
【図１】本発明の実施例１における空気調和装置の側部断面図
【図２】同空気調和装置のプレート図
【図３】同空気調和装置の側部断面図
【図４】同空気調和装置の正面図
【図５】本発明の実施例２における空気調和装置の正面図
【図６】本発明の実施例３における空気調和装置の正面図
【図７】本発明の実施例４における空気調和装置の正面図
【図８】本発明の実施例５における空気調和装置の正面図
【図９】本発明の実施例６における空気調和装置の正面図
【図１０】従来の暖房装置の構成図
【符号の説明】
１０　固定プレート
１１　　可動プレート
１０、１１　樹脂プレート
１２　熱交換器
１３　駆動手段
１４　送風路
１６　送風手段
１７　吹出口
２０　吸込口
２６　左右スライド部
２７　斜めスライド部
【図１】
2004101023.tif 000003
【図２】
2004101023.tif 000004
【図３】
2004101023.tif 000005
【図４】
2004101023.tif 000006
【図５】
2004101023.tif 000007
【図６】
2004101023.tif 000008
【図７】
2004101023.tif 000009
【図８】
2004101023.tif 000010
【図９】
2004101023.tif 000011
【図１０】
2004101023.tif 000012